(57)【要約】【課題】既存の手荷物バッグに簡単に金具（ピンバッチ留め具等を含む）もしくは、マグネットや、面ファスナーなどを取付けることによって、専用のバックを購入することなく、しかも安価にキャリーバッグに取付けられるように工夫した手荷物バッグをキャリーバッグの本体上に載置して保持することができる手荷物バッグの留め具の提供を図る。【解決手段】本発明の手荷物バッグの留め具は、キャリーバッグのスライド式取っ手を保持する保持バンドと、手荷物バッグに固着される固着係止具と、で構成して成り、保持バンドは、所用の長さと幅を有して形成すると共に、該長さ方向の両端部裏面には固着係止具の係止手段に係合される係止構造を有して成り、固着係止具は、所用の留め具形状を有して形成され、両端部表面には保持バンドに係止される係止手段を設けると共に、両端部裏面には手荷物バッグの一側面に固着される固着手段を設けている手段を採る。【選択図】図１
2017196365.tif 000002
【特許請求の範囲】
【請求項１】
手荷物バッグをキャリーバッグの本体上に載置して保持することができる手荷物バッグの留め具であって、
前記手荷物バッグの留め具は、キャリーバッグのスライド式取っ手を保持する保持バンドと、手荷物バッグに固着される固着係止具と、で構成して成り、
前記保持バンドは、所用の長さと幅を有して形成すると共に、該長さ方向の両端部裏面には前記固着係止具の係止手段に係合される係止構造を有して成り、
前記固着係止具は、所用の留め具形状を有して形成され、両端部表面には前記保持バンドに係止される係止手段を設けると共に、両端部裏面には前記手荷物バッグの一側面に固着される固着手段を設けて成ることを特徴とする手荷物バッグの留め具。
【請求項２】
前記保持バンドの中間部が、長さ調整機能と分離機能を有するバックルを設けて形成されていることを特徴とする請求項１記載の手荷物バッグの留め具。
【請求項３】
前記保持バンドの両端部が、手荷物バッグの持ち手金具に掛着される掛止フックを設けて形成されていることを特徴とする請求項１または請求項２記載の手荷物バッグの留め具。
【請求項４】
前記保持バンドが、前記手荷物バッグの一側面を適宜の当てがい面積をもって保持される連結保持帯で形成されていることを特徴とする請求項１記載の手荷物バッグの留め具。
【発明の詳細な説明】
【技術分野】
【０００１】  本発明は、既存の手荷物バッグに簡単に金具（ピンバッチ留め具等を含む）もしくは、マグネットや、面ファスナーなどを取付けることによって、専用のバックを購入することなく、しかも安価にキャリーバッグに取付けられるように工夫した手荷物バッグをキャリーバッグの本体上に載置して保持することができる手荷物バッグの留め具に関する。
【背景技術】
【０００２】  従来における手荷物バッグをキャリーバッグの本体上に載置して保持することができる手荷物バッグの留め具は、最初からキャリーバッグ本体に装着できるように手荷物バッグ自体に装着されていたり、キャリーバッグとセットで販売されているものが殆どであった。【０００３】  しかしながら、上記における手荷物バッグをキャリーバッグの本体上に載置して保持することができる手荷物バッグの留め具は、その目的だけでキャリーバッグとセットで販売されていることが多いことから、購入価格も高価で不経済であったりしていた。また、キャリーバッグ本体のハンドル部に手荷物バッグを紐で固定する構造を採用している留め具は、手荷物バッグを紐で縛ったり紐を解いたりする作業が面倒で煩わしかったりするものであった。さらに、キャリーバッグのハンドル部に突出部を付設する構造を採用している留め具は、キャリーバッグ本体上に固定することができる手荷物バッグの大きさや形状が制限されるといった問題点があるものであった。【０００４】  従来より、上記における問題点を解決しようとする手荷物バッグの留め具に関する提案がなされている。例えば、鞄の一端にベルトやバンドを取り付けてキャリーバッグのハンドル部に取り付けて使用することができる「キャリー用補助ポーチ」（特許文献１）や、バッグ本体に設けたポケット内部の上部両端間に、キャリーケース本体のハンドルを貫通させるためのベルトをポケットの口部から出没自在として掛け渡し、ベルトの略中央部をバッグ本体に止着しておくための止着具を設けたことを特徴とする「バッグ」（特許文献２）や、車輪と引き出し式のバーハンドルとを備えて車輪走行可能に構成されるキャリーバッグの上部に載置され、該バーハンドルに取付け可能な「キャリーバッグ取り付け可能な鞄」（特許文献３）が提案され、公知技術となっている。【０００５】  しかしながら、係る「キャリー用補助ポーチ」や、「バッグ」や、「キャリーバッグ取り付け可能な鞄」の提案は、鞄に直接留め具を取り付ける構造を採用していることによって、留め具を取り付ける構造が商品価格に直接反映すると共に、手持ちバッグ自体の価格が高騰になるといった問題があるものであった。【０００６】  また、手荷物バッグをキャリーバッグの本体上に載置して保持することができる「キャリーバッグおよび手荷物固定用ストラップ」（特許文献４）や、「名札付き結束用ベルト」（特許文献５）や、「手荷物等固定ベルト及びキャリーバッグ」（特許文献６）や、「止め具」（特許文献７）が提案され、公知技術となっている。【０００７】  しかしながら、係る「キャリーバッグおよび手荷物固定用ストラップ」や、「名札付き結束用ベルト」や、「手荷物等固定ベルト及びキャリーバッグ」や、「止め具」の何れの提案もストラップやベルトの構造が複雑であることから、着脱ならびに収納が面倒であると共に、商品単価が高騰になるといった問題点があるものであった。【０００８】  また、長方形容器状のワクにキャリーバッグのハンドル止めを設け、既存のキャリーバッグのハンドルに通して装着することで、長方形容器状のワクができ、そのワクの中に、手荷物を収納し、楽に行動ができる「キャリーバッグ付属ケース」（特許文���８）が提案され、公知技術となっている。【０００９】  しかしながら、係る「キャリーバッグ付属ケース」の提案は、付属ケースの筐体自体が大型になりがちになることから、収納と取り扱いに手間暇を要すると共に、外観的美観が損なわれるもので、さらに固定しようとする手荷物バッグの大きさが限定されるといった問題点があるものだった。【００１０】  本出願人は、以上のような従来から提供されている手荷物バッグを保持する留め具の構造の複雑さと収納性ならびに利便性の問題に着目し、それらがもつ問題点を安価且つ使い勝手の良い手段を用いて解決することができないものかという着想の下、既存の手荷物バッグに簡単に金具（ピンバッチ留め具等を含む）もしくは、マグネットや、面ファスナーなどを取付けることによって、専用のバックを購入することなく、しかも安価にキャリーバッグに取付けられるように工夫した手荷物バッグをキャリーバッグの本体上に載置して保持することができる手荷物バッグの留め具を開発し、本発明における「手荷物バッグの留め具」の提案に至るものである。
【先行技術文献】
【特許文献】
【００１１】
【特許文献１】特開２０１０−２５９６７１号公報
【特許文献２】実用新案登録第３１０４０９７号公報
【特許文献３】実用新案登録第３１６６５８８号公報
【特許文献４】特開２０１０−２５９５８７号公報
【特許文献５】特開２０１３−９４５３１号公報
【特許文献６】実用新案登録第３２０１９２４号公報
【特許文献７】実用新案登録第３１６１８５０号公報
【特許文献８】特開２０１１−６２４９５号公報
【発明の概要】
【発明が解決しようとする課題】
【００１２】  本発明は上記問題点における鑑み、既存の手荷物バッグに簡単に金具（ピンバッチ留め具等を含む）もしくは、マグネットや、面ファスナーなどを取付けることによって、専用のバックを購入することなく、しかも安価にキャリーバッグに取付けられるように工夫した手荷物バッグをキャリーバッグの本体上に載置して保持することができる手荷物バッグの留め具の提供を図ることを課題とする。
【課題を解決するための手段】
【００１３】  本発明は上記課題を解決するためになされるもので、本発明の手荷物バッグの留め具は、手荷物バッグをキャリーバッグの本体上に載置して保持することができる手荷物バッグの留め具であって、前記手荷物バッグの留め具は、キャリーバッグのスライド式取っ手を保持する保持バンドと、手荷物バッグに固着される固着係止具と、で構成して成り、前記保持バンドは、所用の長さと幅を有して形成すると共に、該長さ方向の両端部裏面には前記固着係止具の係止手段に係合される係止構造を有して成り、前記固着係止具は、所用の留め具形状を有して形成され、両端部表面には前記保持バンドに係止される係止手段を設けると共に、両端部裏面には前記手荷物バッグの一側面に固着される固着手段を設けて成る手段を採る。【００１４】  また、本発明の手荷物バッグの留め具は、前記保持バンドの中間部が、長さ調整機能と分離機能を有するバックルを設けて形成されている手段を採る。【００１５】  また、本発明の手荷物バッグの留め具は、前記保持バンドの両端部が、手荷物バッグの持ち手金具に掛着される掛止フックを設けて形成されている手段を採る。【００１６】  また、本発明の手荷物バッグの留め具は、前記手荷物バッグの一側面を適宜の当てがい面積をもって保持される連結保持帯で形成されている手段を採る。
【発明の効果】
【００１７】  本発明の手荷物バッグの留め具によれば、キャリーバッグのスライド式取っ手を保持する保持バンドと、手荷物バッグに固着される固着係止具と、で構成されていることによって、固着係止具をあらゆる手持ちのバッグにもミシンや道具を使わずに簡単に取り付けることができる上、荷物バッグの留め具自体の着脱ならびに保管が容易であるといった優れた効果を奏する。【００１８】  本発明の手荷物バッグの留め具によれば、既存の手荷物バッグに本発明の留め具を後付けで簡単に装着することができるため、経済的であると共に、留め具のデザインを自分好みの装飾アクセサリーやキャラクターグッズとして装着することができるものでさらには、留め具自体を観光地のお土産品として販売することもできるといった優れた効果を奏する。【００１９】  本発明の手荷物バッグの留め具によれば、既存の手荷物バッグに簡単に金具（ピンバッチ留め具等を含む）もしくは、マグネットや、面ファスナーなどを取付けることによって、専用のバックを使わずに、しかも安価にキャリーバッグに取付けられるといった優れた効果を奏する。【００２０】  本発明の手荷物バッグの留め具によれば、スライド式取っ手を保持する保持バンドと、手荷物バッグに固着される固着係止具と、で構成してキャリーバッグを直接締め付けて固定しない手段を採っているため、手荷物バッグ内に収納されているお土産品などが潰れたり、皺になったりしないといった優れた効果を奏する。【００２１】  また、本発明の手荷物バッグの留め具によれば、簡単且つ安価な構造で構成されていることによって、経済的であると共に、重い手荷物を手に持ったり、肩に掛ける必要がなく楽に移動することができるといった優れた効果を奏する。【００２２】  また、本発明の手荷物バッグの留め具によれば、手荷物バッグの留め具を手荷物バッグやトートバッグ等に簡単且つ容易に取り付けて固定することができるため、手荷物がずれ込んだり、落下したりしないといった優れた効果を奏する。【００２３】  また、本発明の手荷物バッグの留め具によれば、保持バンドの中間部が、長さ調整機能と分離機能を有するバックルで形成されていることによって、手荷物バッグの大きさに合わせて容易に調整ならびに取り付け取り外しができるといった優れた効果を奏する。【００２４】  また、本発明の手荷物バッグの留め具によれば、保持バンドの両端部が、手荷物バッグの持ち手金具に掛着される掛止フックで形成されていることによって、手荷物バッグをキャリーバッグの本体上に容易且つ確実に保持することができるといった優れた効果を奏する。【００２５】  また、本発明の手荷物バッグの留め具によれば、手荷物バッグの一側面を適宜の当てがい面積をもって保持される連結保持帯で形成されていることによって、手荷物バッグが安定的に保持されるといった優れた効果を奏する。
【図面の簡単な説明】
【００２６】
【図１】本発明における手荷物バッグの留め具の実施形態を示す説明図である。（実施例１）
【図２】本発明における手荷物バッグの留め具の別の実施形態を示す説明図である。（実施例２）
【図３】本発明における手荷物バッグの留め具の別の実施形態を示す説明図である。（実施例３）
【図４】本発明における手荷物バッグの留め具の別の実施形態を示す説明図である。（実施例４）
【発明を実施するため形態】
【００２７】  本発明は、手荷物バッグ４０をキャリーバッグ５０の本体上に載置して保持することができる手荷物バッグの留め具１０であって、該手荷物バッグの留め具１０は、キャリーバッグ５０のスライド式取っ手５０ａを保持する保持バンド２０と、手荷物バッグ４０に固着される固着係止具３０と、で構成して、手荷物バッグ４０をキャリーバッグ５０の本体上に載置して保持することができる手段を採ったことを最大の特徴とする。以下、本発明の実施形態を、図面に基づいて説明する。
【００２８】  尚、本発明の手荷物バッグの留め具１０は、以下に述べる実施例に限定されるものではなく、本発明の技術的思想の範囲内、すなわち同一の作用効果を発揮できる形状及び寸法の範囲内で、適宜変更することができる。
【実施例１】
【００２９】  図１は、本発明における手荷物バッグの留め具の実施形態を示す説明図である。
図１（ａ）は手荷物バッグの留め具１０の実施形態を示す全体斜視図である。
本発明の手荷物バッグの留め具１０は、手荷物バッグ４０をキャリーバッグ５０の本体上に載置して保持することができる手荷物バッグの留め具１０であって、該手荷物バッグの留め具１０は、キャリーバッグ５０のスライド式取っ手５０ａを保持する保持バンド２０と、手荷物バッグ４０に固着される固着係止具３０と、で構成される。【００３０】  保持バンド２０は、所用の長さと幅を有して形成されると共に、該長さ方向の両端部裏面には固着係止具３０の係止手段２１に係合される係止される係止構造を有して形成される。
尚、保持バンド２０自体を伸縮性を有する伸縮バンドで形成することによって、固定する僅かな長さ調整手段や取り付け時における装着性を向上させることもできる。【００３１】  係止手段２１は、保持バンド２０に装着される場合は、保持バンド２０の長さ方向の両端部裏面に、固着係止具３０の係止手段２１に係合されるもので、例えば、面ファスナー２１ａ、ホック、マグネットなどで形成される。【００３２】  固着係止具３０は、所用の留め具形状を有して形成され、表面には保持バンド２０の係止手段２１に係止される固着構造を有し、裏面には手荷物バッグ４０の一側面４０ａに固着される固着手段３１を設けて形成されるもので、固着係止具３０に装着される係止手段２１としては、例えば、面ファスナー２１ａ、ホック、マグネットなどで形成され、一方、固着係止具３０に装着される固着手段３１としては、例えば、強力接着剤３１ｃ、ホック、鋲、縫製によって形成される。【００３３】  手荷物バッグ４０は、一般的な旅行バッグ、トートバッグ、紙バッグなどが使用される。【００３４】  キャリーバッグ５０は、スライド式取っ手５０ａと移動用キャスターが備えられる旅行用のスーツケースが利用される。【００３５】  図１（ｂ）は手荷物バッグの留め具１０の別の実施形態を示す全体斜視図である。
本発明の手荷物バッグの留め具１０は、手荷物バッグ４０と、保持バンド２０を固着するために設けられるもので、その固着手段３１としては、保持バンド２０の裏面に取付けられた溝入固着ピン３１ｂを手荷物バッグ４０に押付けて小穴を穿設し、固着係止具３０に該溝入固着ピン３１ｂを嵌合させた状態で固着する構造で形成される。その溝入固着ピン３１ｂに切り込み溝を複数刻設することによって蝶タックや、タイタック（登録商標）状になることでかなりの引き抜き力に耐えられる構造とすることができる。また、（保持ベルト２０の表面側から固着する場合は、保持ベルト２０にも溝入固着ピン３１ｂで小穴を穿設して形成することができる。さらに、保持ベルト２０と手荷物バッグ４０に、複数の溝入固着ピン３１ｂを押付けて小穴を穿設して固着係止具３０で係止することで固着強度をより強固にすることができる。【００３６】  図１（ｃ）は手荷物バッグの留め具１０の取り付け状態を示す全体斜視図である。
本発明の手荷物バッグの留め具１０は、旅行バッグ、トートバッグ、紙バッグ等の手荷物バッグ４０の一側面４０ａに装着される。【００３７】  図１（ｄ）は手荷物バッグの留め具１０の使用状態を示す全体斜視図である。
本発明の手荷物バッグの留め具１０は、旅行バッグ、トートバッグ、紙バッグ等の一側面４０ａに装着された本発明の手荷物バッグの留め具１０をキャリーバッグ５０のスライド式取っ手５０ａに挿通させて使用することができる。【００３８】  以上で構成される本発明の手荷物バッグの留め具１０は、キャリーバッグ５０のスライド式取っ手５０ａを保持する保持バンド２０と、手荷物バッグ４０の一側面４０ａに固着される固着係止具３０と、で構成されていることによって、固着係止具３０をどんな手荷物バッグ４０にも簡単に取り付けることができることで、着脱ならびに収納作業が容易であると共に、簡単且つ安価な構造で構成されていることによって、経済的である上、重い手荷物を手で持ったり、肩に掛ける必要がなく楽に移動することができる。さらに、キャリーバッグ５０のスライド式取っ手５０ａの大きさに関わらずフレシキブルに取り付けることができる共に、手荷物がずれ込まないといった多くの利便性を備える手荷物バッグの留め具１０の提供を可能にする。
【実施例２】
【００３９】  図２は、本発明における手荷物バッグの留め具の別の実施形態を示す説明図である。
本発明の手荷物バッグの留め具１０の保持バンド２０の中間部が、長さ調整機能と分離機能を有するバックル２３を設けて形成される。【００４０】  以上で構成される本発明の手荷物バッグの留め具１０は、保持バンド２０の中間部に長さ調整機能と分離機能が備わっていることによって、着脱ならびに収納が容易であると共に、キャリーバッグ５０のスライド取っ手５０ａの大きさに関わらず手荷物バッグの留め具１０をキャリーバッグ５０の形状に合わせてフレシキブルに取り付けることができる。
【実施例３】
【００４１】  図３は、本発明における手荷物バッグの留め具の別の実施形態を示す説明図である。
本発明の手荷物バッグの留め具１０は、保持バンド２０の両端部に手荷物バッグ４０の持ち手金具４０ｂに掛着される掛止フック２４を設けて形成される。【００４２】  既存の手荷物バッグ４０の持ち手金具４０ｂを利用して保持バンド２０を掛着することができることによって、手荷物バッグ４０の種類や形状ならびに大きさを限定することなく手荷物バッグの留め具１０をキャリーバッグ５０の本体上に容易に載置することができると共に、スライド式取っ手５０ａを確実に保持することができる構造とすることができる。
【実施例４】
【００４３】  図４は、本発明における手荷物バッグの留め具の別の実施形態を示す説明図である。
図４（ａ）は手荷物バッグの留め具１０の実施形態を示す全体斜視図である。
本発明の手荷物バッグの留め具１０の保持バンド２０が、手荷物バッグ４０の一側面４０ａを適宜の当てがい面積をもって保持される連結保持帯２５で形成されていることによって、手荷物バッグ４０をキャリーバッグ５０に安定的に保持させることができる。【００４４】  図４（ｂ）は手荷物バッグの留め具１０の別の実施形態を示す全体斜視図である。
手荷物バッグ４０の一側面４０ａに適宜の当てがい面積をもって保持することができる連結保持帯２５の表面または裏面に収納ポケット２６を設けることによって、パスポート、財布、パンフレット、携帯電話などの旅行用品を必要な時に取り出しやすい状態で収納することができる。
【産業上の利用可能性】
【００４５】  本発明における手荷物バッグの留め具は、既存の手荷物バッグに簡単に後付けできると共に、キャリーバッグの本体上に安定的にいつでも取り出しやすい状態で載置して保持することができることから、本発明における「手荷物バッグの留め具」の産業上の利用可能性は極めて大である。
【符号の説明】
【００４６】１０    手荷物バッグの留め具
２０    保持バンド
２１    係止手段
２１ａ  面ファスナー
２３    バックル
２４    掛止フック
２５    連結保持帯
２６    収納ポケット
３０    固着係止具
３１    固着手段
３１ａ  ピン固着具
３１ｂ  溝入固着ピン
３１ｃ  強力接着剤
４０    手荷物バッグ
４０ａ  一側面
４０ｂ  持ち手金具
４０ｃ  孔
５０    キャリーバッグ
５０ａ  スライド式取っ手
【図１】
2017196365.tif 000003
【図２】
2017196365.tif 000004
【図３】
2017196365.tif 000005
【図４】
2017196365.tif 000006
【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
手荷物バッグをキャリーバッグの本体上に載置して保持することができる手荷物バッグの留め具であって、
前記手荷物バッグの留め具は、キャリーバッグのスライド式取っ手を保持する保持バンドと、手荷物バッグに固着される固着係止具と、で構成して成り、
前記保持バンドは、所用の長さと幅を有して形成すると共に、該長さ方向の両端部裏面には前記固着係止具の係止手段に容易に着脱可能に係合される係止構造を有して成り、
前記固着係止具は、所用の留め具形状を有して形成され、表面には前記保持バンドに容易に着脱可能に係止される係止手段を設けると共に、裏面には前記手荷物バッグの一側面に固着される固着手段を設けてなることを特徴とする手荷物バッグの留め具。
【請求項２】
手荷物バッグをキャリーバッグの本体上に載置して保持することができる手荷物バッグの留め具であって、
前記手荷物バッグの留め具は、キャリーバッグのスライド式取っ手を保持する保持バンドと、手荷物バッグに固着される固着係止具と、で構成して成り、
前記保持バンドは、所用の長さと幅を有して形成すると共に、該長さ方向の両端部は、前記固着係止具の係止手段を貫通可能にしてあり、
前記固着係止具は、所用の留め具形状を有する係止手段と固着手段とに分離可能に形成され、該係止手段は、前記保持バンドの表面から前記手荷物バッグの一側面に向かって双方を貫通すると共に、前記手荷物バッグの一側面の裏面において該固着手段と着脱可能に固着されるように構成してあることを特徴とする手荷物バッグの留め具。
【請求項３】
前記保持バンドの中間部が、長さ調整機能と分離機能を有するバックルを設けて形成されていることを特徴とする請求項１または請求項２記載の手荷物バッグの留め具。
【請求項４】
前記保持バンドが、前記手荷物バッグの一側面を適宜の当てがい面積をもって保持される連結保持帯で形成されていることを特徴とする請求項１記載の手荷物バッグの留め具。
【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
手荷物バッグをキャリーバッグの本体上に載置して保持することができる手荷物バッグの留め具であって、
前記手荷物バッグの留め具は、キャリーバッグのスライド式取っ手を保持する保持バンドと、手荷物バッグに固着される固着係止具と、で構成して成り、
前記保持バンドは、所用の長さと幅を有して形成すると共に、該長さ方向の両端部裏面には前記固着係止具の係止手段に容易に着脱可能に係合される係止構造を有して成り、
前記固着係止具は、所用の留め具形状を有して形成され、表面には前記保持バンドに容易に着脱可能に係止される係止手段を設けると共に、裏面には前記手荷物バッグの一側面に固着される固着手段を設けてなることを特徴とする手荷物バッグの留め具。
【請求項２】
前記保持バンドの中間部が、長さ調整機能と分離機能を有するバックルを設けて形成されていることを特徴とする請求項１記載の手荷物バッグの留め具。
【請求項３】
前記保持バンドが、前記手荷物バッグの一側面を適宜の当てがい面積をもって保持される連結保持帯で形成されていることを特徴とする請求項１記載の手荷物バッグの留め具。